(57)【要約】  車両内の通信装置を簡素化できる車両誘導システムを提供する。  車両を駐車するための１つないし複数の駐車区域を含むブロックで区画された駐車場における車両の誘導を制御するための制御装置と、それぞれの駐車区域に設置された照明装置と近隣の駐車区域における通信装置または車両の通信手段と通信を行う通信装置を備え、制御装置が、車両を誘導する先である駐車区域を含む目的ブロックと、車両の現在位置から目的ブロックへの誘導経路を決定し、誘導経路に位置する駐車区域の通信装置に車両の識別情報を通知し、識別情報を通知された通信装置が、車両を検知し、目的ブロックへ誘導するよう誘導経路に位置する照明装置を制御する車両誘導システム。
2016152133.tif 000002
【特許請求の範囲】
【請求項１】
車両を駐車するための１つないし複数の駐車区域を含むブロックで区画された駐車場における車両の誘導を制御するための制御装置と、
それぞれの前記駐車区域に設置された照明装置と、近隣の駐車区域における通信装置または前記車両の通信手段と通信を行う通信装置とを備え、
前記制御装置が、前記車両を誘導する先である駐車区域を含む目的ブロックと、前記車両の現在位置から前記目的ブロックへの誘導経路を決定し、前記誘導経路に位置する駐車区域の前記通信装置に前記車両の識別情報を通知し、
前記識別情報を通知された前記通信装置が、前記車両を検知し、前記目的ブロックへ誘導するよう前記誘導経路に位置する前記照明装置を制御する
車両誘導システム。
【請求項２】
それぞれ前記通信装置と前記識別情報に合致した前記車両の通信手段とが通信した結果、前記通信装置が、前記照明装置の出力を変更することを特徴とする請求項１に記載の車両誘導システム。
【請求項３】
前記誘導経路上に位置する駐車区域の通信装置は、前記車両の通信手段と通信を行い、前記車両の通信手段と通信を行った結果の情報を、隣接する他の前記通信装置とのマルチホップ通信によって、前記制御装置に伝達する請求項１または２に記載の車両誘導システム。
【請求項４】
前記車両が前記決定した目的ブロックに到着する前に前記目標のブロックの駐車区域が全て駐車不可能となった場合、前記制御装置が、前記目的ブロックの近隣のブロックの駐車状況を検索し、駐車可能な新たな目的ブロックを決定し、前記車両の現在位置から前記新たな目的ブロックへの誘導経路を決定する請求項１ないし３のいずれか１項に記載の車両誘導システム。
【請求項５】
前記車両が前記誘導する目的ブロックに到着する前に前記目的ブロックへの誘導経路を離れた場合、所定の駐車区域の通信装置が、前記車両の通信手段に対して通信を行い、通信の結果、前記車両の現在位置を特定する請求項１ないし４のいずれか１項に記載の車両誘導システム。
【請求項６】
前記照明装置は、複数の色を発光できる照明とし、前記車両の誘導開始時にあらかじめ誘導する照明の色を通知する表示装置を更に備える請求項１ないし５のいずれか１項に記載の車両誘導システム。
【請求項７】
前記制御装置は、前記車両から希望駐車ブロックの通知を受信した場合、前記通知に基づき前記車両に対し誘導する目的ブロックと、前記車両の現在位置から前記目的ブロックへの誘導経路を決定する請求項１ないし６のいずれか１項に記載の車両誘導システム。
【請求項８】
制御装置が、車両を駐車するための１つないし複数の駐車区域を含むブロックで区画された駐車場における車両の誘導を制御し、
通信装置が、それぞれの前記駐車区域に設置された照明装置と近隣の駐車区域における通信装置または前記車両の通信手段と通信を行い、
さらに、前記制御装置が、前記車両に対し誘導する駐車区域を含む目的ブロックと、前記車両の現在位置から前記目的ブロックへの誘導経路を決定し、前記誘導経路に位置する駐車区域の前記通信装置に前記車両の識別情報を通知し、
前記識別情報を通知された前記通信装置が、前記車両を検知し、前記目的ブロックへ誘導するよう前記誘導経路に位置する前記照明装置を制御する
車両誘導方法。
【請求項９】
それぞれ前記通信装置と前記識別情報に合致した前記車両の通信手段とが通信した結果、前記通信装置が、前記照明装置の出力を変更することを特徴とする請求項８に記載の車両誘導方法。
【請求項１０】
前記誘導経路上に位置する駐車区域の通信装置は、前記車両の通信手段と通信を行い、前記車両の通信手段と通信を行った結果の情報を、隣接する他の前記通信装置とのマルチホップ通信によって、前記制御装置に伝達する請求項８または９に記載の車両誘導方法。
【請求項１１】
車両を誘導する先である駐車区域を含む目的ブロックと、前記車両の現在位置から前記目的ブロックへの誘導経路を決定し、前記誘導経路上に位置する駐車区域の通信装置に前記車両の識別情報を通知することで前記車両を駐車するための１つないし複数の前記駐車区域を含むブロックで区画された駐車場における車両誘導を制御する処理
を制御装置に実行させるプログラムを記録するコンピュータ読み取り可能な記録媒体。
【発明の詳細な説明】
【技術分野】
【０００１】
本発明は、施設内において車両を自動案内する車両誘導システム及び車両誘導方法等に関する。
【背景技術】
【０００２】
車両誘導システムにおいて、例えば駐車場のような施設内において車両を目的の場所へ自動案内するシステムが知られている。この技術は、駐車場の各区域の満空情報を把握し、車両に対して空いている区域へ誘導を行う。【０００３】
自動案内するシステムの一例が特許文献１に記載されている。特許文献１に記載された施設誘導システムは、施設利用者が所持する情報通信端末が無線局から受ける無線の電波強度に基づいて、その情報通信端末の位置を検出し、また施設利用者の行動を検知する。施設誘導システムは、位置と行動に基づき空車エリアまでの誘導経路の情報を情報通信端末に送信する。【０００４】
また、特許文献２に記載された駐車場管理システムは、駐車状況検出装置によって駐車の有無を検出し、無線ＬＡＮ（Ｌｏｃａｌ  Ａｒｅａ  Ｎｅｔｗｏｒｋ）を介してサーバ装置にて分類し記憶し、案内要求信号を送信した移動体の位置を確認する。さらに、駐車場管理システムは、その移動体を確認した位置に近い駐車スペースへ案内するための案内信号を移動体に送信する。これにより、移動体は、案内信号による案内を音声等で出力する。【０００５】
また、特許文献３に記載された空き駐車スペース誘導支援システムは、カメラやセンサを用いてネットワーク経由で自動車の位置を判別し、各駐車レーンに沿って設置された矢印型ランプを点灯させて当該自動車を空き駐車スペースまで誘導する。
【先行技術文献】
【特許文献】
【０００６】
【特許文献１】特開２０１４−１６３９１１号公報
【特許文献２】特開２００５−８５１８７号公報
【特許文献３】特開２０１４−１４６１３０号公報
【特許文献４】特開２００９−２０４５７６号公報
【特許文献５】国際公開第２００６／１０９８２７号
【発明の概要】
【発明が解決しようとする課題】
【０００７】
しかしながら、上述した特許文献１に記載された技術は、施設利用者の所持する情報通信端末が、複数の無線局を統合管理し、複数の無線局から受ける無線の電波強度に基づいて位置を検出し、施設利用者の行動を検知する。また、特許文献２に記載された技術は、複数の無線ＬＡＮ基地局を介して移動体の位置を検出する。したがって、特許文献１及び特許文献２に記載された技術は、対象物の位置検出の精度が低いという問題点がある。また、特許文献３に記載された技術は、駐車場内のエリアを網羅するカメラやセンサを用いてネットワーク経由で自動車を画像解析で認識しその位置を判別する必要がある。したがって、特許文献３に記載された技術は、画像解析によるサーバの処理負荷が大きいという問題点がある。また、特許文献１ないし３に記載された技術は、システム全体の負荷が大きく、大規模なシステムが必要となるという共通の問題点がある。【０００８】
本発明の目的の一例は、上述した問題点を解決できる車両誘導システム及び車両誘導方法等を提供することにある。具体的には、本発明の目的の一例は、車両の位置を極めて高精度で特定することができ、また、システム全体の負荷を軽減できる車両誘導システム等を提供することにある。
【課題を解決するための手段】
【０００９】
本発明の一形態における車両誘導システムは、車両を駐車するための１つないし複数の駐車区域を含むブロックで区画された駐車場における車両誘導を制御するための制御装置と、それぞれの駐車区域に設置された照明装置と近隣の駐車区域における通信装置または車両の通信手段と通信を行う通信装置とを備え、制御装置が、車両を誘導する先である駐車区域を含む目的ブロックと、車両の現在位置から目的ブロックへの誘導経路を決定し、誘導経路に位置する駐車区域の通信装置に車両の識別情報を通知し、識別情報を通知された通信装置が、車両を検知し、目的ブロックへ誘導するよう誘導経路に位置する照明装置を制御する。【００１０】
本発明の一形態における車両誘導方法は、制御装置が、車両を駐車するための１つないし複数の駐車区域を含むブロックで区画された駐車場における車両の誘導を制御し、通信装置が、それぞれの駐車区域に設置された照明装置と近隣の駐車区域における通信装置または車両の通信手段と通信を行い、さらに、制御装置が、車両に対し誘導する駐車区域を含む目的ブロックと、車両の現在位置から目的ブロックへの誘導経路を決定し、誘導経路に位置する駐車区域の通信装置に車両の識別情報を通知し、識別情報を通知された通信装置が、車両を検知し、目的ブロックへ誘導するよう誘導経路に位置する前記照明装置を制御する。【００１１】
本発明の一形態におけるコンピュータ読み取り可能な記録媒体は、車両を誘導する先である駐車区域を含む目的ブロックと、車両の現在位置から目的ブロックへの誘導経路を決定し、誘導経路上に位置する駐車区域の通信装置に車両の識別情報を通知することで車両を駐車するための１つないし複数の駐車区域を含むブロックで区画された駐車場における車両誘導を制御する処理、を制御装置に実行させるプログラムを記録する。
【発明の効果】
【００１２】
本発明によれば、車両誘導システムは、車両の位置を極めて高精度で特定することができ、また、システム全体の負荷を軽減できるという効果が得られる。
【図面の簡単な説明】
【００１３】
【図１】図１は、本発明の第１の実施の形態における車両誘導システム１０００の構成の一例を示す概略の上面図である。
【図２】図２は、第１の実施の形態における制御装置１００の構成の一例を示すブロック図である。
【図３】図３は、第１の実施の形態における満空情報リストの一例を示す図である。
【図４】図４は、第１の実施の形態における案内リストの一例を示す図である。
【図５】図５は、第１の実施の形態における経路リストの一例を示す図である。
【図６】図６は、第１の実施の形態における経路リストの中の記載内容の一例を示す図である。
【図７】図７は、第１の実施の形態における監視リストの一例を示す図である。
【図８】図８は、第１の実施の形態における個別リストの一例を示す図である。
【図９】図９は、第１の実施の形態における駐車区域５０１に備えられる装置の構成の一例を示すブロック図である。
【図１０】図１０は、第１の実施の形態における探索結果リストの一例を示す図である。
【図１１】図１１は、第１の実施の形態における駐車区域状態リストの一例を示す図である。
【図１２】図１２は、第１の実施の形態における駐車場５００内に入場する車両４００の構成の一例を示すブロック図である。
【図１３】図１３は、第１の実施の形態における制御装置１００をコンピュータ装置で実現した場合のハードウェア構成例を示す図である。
【図１４】図１４は、第１の実施の形態における制御装置１００での満空情報リスト更新の動作の概要を示すフローチャートである。
【図１５】図１５は、第１の実施の形態における制御装置１００での案内リスト更新の動作の概要を示すフローチャートである。
【図１６】図１６は、第１の実施の形態における制御装置１００での監視リスト更新と個別リスト送信の動作の概要を示すフローチャートである。
【図１７】図１７は、第１の実施の形態における駐車区域５０１の照明装置３０１と通信装置２０１での車両の誘導の動作の概要を示すフローチャートである。
【図１８】図１８は、第１の実施の形態における制御装置１００での車両誘導制御の動作の概要を示すフローチャートである。
【図１９】図１９は、第１の実施の形態における制御装置１００での車両誘導完了後の案内リストと監視リストの処理の動作の概要を示すフローチャートである。
【図２０】図２０は、第１の実施の形態における制御装置１００での迷子車両探索の動作の概要を示すフローチャートである。
【図２１】図２１は、第２の実施の形態における車両誘導システム１０１０の構成の一例を示す概略の上面図である。
【図２２】図２２は、第２の実施の形態における制御装置１１０の構成の一例を示すブロック図である。
【図２３】図２３は、第２の実施の形態における駐車区域５０１に備えられる装置の構成の一例を示すブロック図である。
【図２４】図２４は、第２の実施の形態における案内リストの一例を示す図である。
【図２５】図２５は、第２の実施の形態における個別リストの一例を示す図である。
【図２６】図２６は、第３の実施形態に係る車両誘導システム１０２０の構成の一例を示す概略の上面図である。
【図２７】図２７は、第３の実施の形態における制御装置１２０の構成の一例を示すブロック図である。
【図２８】図２８は、第３の実施の形態における案内リストの一例を示す図である。
【発明を実施するための形態】
【００１４】
次に、本発明の実施形態について図面を参照して詳細に説明する。
【００１５】
［第１の実施の形態］
図１は、本発明の第１の実施の形態における車両誘導システム１０００の構成の一例を示す概略の上面図である。図１を参照すると、車両誘導システム１０００は、駐車場５００内に設置される制御装置１００を備える。駐車場５００には、複数の駐車区域が設けられている。
【００１６】
複数の駐車区域は、それぞれ所定の区域数でブロック（区画）を形成する。図１の例では、1ブロックに、４つの駐車区域が設けられている。図１において、駐車区域５０１、５０２、５０３及び５０４は、ブロック５０とし、駐車区域５０５、５０６、５０７及び５０８は、ブロック５１とする。また、ブロック５２は、図中の位置とする。また、各駐車区域は通信装置と照明装置を備える。
【００１７】
制御装置１００の設置場所は何処でもよく、駐車場５００の外でもよい。また制御装置１００は、通信部１０６だけ駐車場５００内にあって、その他の機能部は駐車場５００の外にあってもよい。図１の例では、駐車区域５０１、５０２、５０４、５０５、５０８には既に駐車している車両があり、駐車区域５０３、５０６、５０７は空車とする。また、既に車両４００は車両誘導システム１０００により誘導中であり、車両４０１が駐車場５００に入場し始めている状態とする。
【００１８】
図２は、制御装置１００の構成の一例を示すブロック図である。制御装置１００は、満空情報管理部１０１と、車両管理部１０２と、駐車区域決定部１０３と、駐車経路決定部１０４と、車両誘導部１０５と、通信部１０６とを備える。
【００１９】
車両誘導システム１０００は、車両を誘導するために、車両内に画像や音声など情報出力可能な装置を不要とする。そのために、本実施の形態では、車両誘導システム１０００は、制御装置１００と、駐車場内の駐車区域に備えられている照明装置及び通信装置を使って、車両を空いている駐車区域に誘導する。
【００２０】
すなわち、制御装置１００が、駐車場内に入場した車両に対し誘導する駐車区域を含む目的ブロックと、車両の現在位置から目的ブロックへの誘導経路を決定する。さらに制御装置１００は、誘導経路上に位置する駐車区域の通信装置に車両の識別情報を通知する。
【００２１】
識別情報を通知された通信装置が、車両を目的ブロックへ誘導するよう誘導経路上に位置する照明装置を制御する。
【００２２】
ここで、制御装置１００の構成について、さらに詳しく説明する。
【００２３】
満空情報管理部１０１は、駐車場５００内の全ての駐車区域にそれぞれ設置された通信装置から、満空情報を駐車区域状態データとして受信する。満空情報管理部１０１は、受信した駐車区域状態データの内容に基づき、図示しない記憶部に記憶された満空情報リストのうちの、当該駐車区域の項目の満空情報を更新する。満空情報とは、それぞれの駐車区域が既に駐車済み（満車）であるか駐車していない（空車）かの情報である。
【００２４】
図３は、満空情報リストの一例を示す図である。満空情報リストには、各駐車区域に対応する満空情報が記録される。なお、図３の例では満空情報の列は“０”を空車、“１”を満車として記録されているが、満空情報が判別できる組み合わせであればこれらに限らない。
【００２５】
車両管理部１０２は、駐車場５００に入場しているそれぞれの車両の情報を管理する。それぞれの車両の情報は、図示しない記憶部に案内リストとして記憶される。
【００２６】
図４は、案内リストの一例を示す図である。案内リストには、各車両と案内を始めるスタートブロックと目的のブロックのそれぞれの情報が記録される。ブロックの情報は、各ブロックの識別を可能にする情報であればよい。図４の場合、ブロックの番号（図１におけるブロックの参照番号）が記録されている。さらに、図４に示す案内リストは、車両の識別のためのＭＡＣ（Ｍｅｄｉａ  Ａｃｃｅｓｓ  Ｃｏｎｔｒｏｌ）アドレスを記録する。車両の識別には、車両に搭載される後述する通信部のＭＡＣアドレスが使用される。
【００２７】
具体的には、車両が、駐車場５００に入場し始めて最も近い駐車区域の通信装置と最初に通信する時に、車両の通信部のＭＡＣアドレスが、その通信装置を経由して制御装置１００に送信される。車両管理部１０２は、新たに入場した車両からの情報（車両の通信部のＭＡＣアドレス）を受信した場合、図４に示す案内リストに車両情報として車両の通信部のＭＡＣアドレスを追加する。
【００２８】
入場の処理を確実にするため、駐車場５００の入場口で車両との通信を行うための通信装置を有する入場口ブロックが別途駐車場５００に設けられてもよい。この場合、車両が入場口ブロックに設けた通信装置と通信した場合に、通信装置が車両の通信部のＭＡＣアドレスを制御装置１００に送信し、車両管理部１０２は、前述のように案内リストに当該車両情報を追加してもよい。図１および図４では入場直後の車両の現在位置情報は、５９（＝入場口ブロックの情報）とする。
【００２９】
また、後述する駐車区域決定部１０３が、追加した車両に対して誘導先となる駐車区域を含む目的ブロックを決定したとする。この場合、車両管理部１０２は、案内を始めるスタートブロックのほか、車両の誘導が進むにつれて、車両の現在位置が属するブロック（たとえば、現在位置の最寄りのブロック）の情報と、誘導する駐車区域の目的ブロックの情報とを取得し、取得した情報によって案内リストを更新する。
【００３０】
また、図４に示す案内リストは、車両が後述される誘導経路から外れた場合も、その車両の現在位置が属するブロックを識別する情報が新たなスタートブロックの情報として更新される。
【００３１】
一方、車両誘導部１０５は、車両を目的ブロックへ案内する制御を終了した後、当該車両の情報を案内リストから削除する。
【００３２】
駐車区域決定部１０３は、車両の現在位置を表す現在位置情報と満空情報管理部１０１に記憶された満空情報（図３）を参照する。本実施の形態の場合、現在位置情報は、車両の現在位置が属するブロックの情報で、後述する車両誘導部１０５によって検出される情報である。駐車区域決定部１０３は、参照したこれらの情報に基づき、駐車場５００内の車両に対し、誘導するべき目的ブロックを決定する。目的ブロックの決定後、駐車区域決定部１０３は、その目的ブロックを車両管理部１０２に通知する。
【００３３】
駐車経路決定部１０４は、車両の現在位置情報と駐車区域決定部１０３が決定した目的ブロックを案内リストから参照し、車両を目的ブロックに誘導するための誘導経路を決定する。駐車経路決定部１０４は、誘導経路を、各ブロック間の経路上の全ての駐車区域が記録された、図５に示す経路リストを参照することによって決定する。
【００３４】
図５は、経路リストの一例を示す図である。図５の経路リストでは、前述のブロック５９も含めた各ブロック間の経路があらかじめ登録される。また、図６は、図５の経路リストの中の５９−５０経路（ブロック５９からブロック５０への経路）に実際に登録される経路の情報の一例である。図６に示すように、５９−５０経路の情報は、ブロック５９を出発点とし、目的ブロックであるブロック５０にたどり着くために経由する駐車区域を、出発点から順番に示した情報である。他の経路の情報に関しても同様である。
【００３５】
駐車経路決定部１０４は、決定した誘導経路を監視リストに登録する。監視リストに関しては、図７を使って後述する。
【００３６】
具体的には、駐車経路決定部１０４は、決定した誘導経路上の駐車区域に誘導される当該車両の通信部のＭＡＣアドレスを監視リストに登録する。この場合、駐車経路決定部１０４は、当該車両の通信部のＭＡＣアドレスを図４に示す案内リストから取得する。さらに、駐車経路決定部１０４は、決定した誘導経路上（誘導経路の途中）の駐車区域の車両を探索するために設定される後述されるタイマ（車両探索タイマ：図７）に、あらかじめ設定された時間を登録する。
【００３７】
車両誘導部１０５は、駐車経路決定部１０４が決定した誘導経路を参照し、誘導経路上（誘導経路の途中）にある駐車区域の照明装置を制御する情報を個別リスト（後述する図８）として通信装置に送信する。また、車両誘導部１０５は、車両近くの駐車区域に備えられた通信装置から送信される車両のＭＡＣアドレスの情報に基づいて、当該車両の現在位置を監視する。そして、当該車両が、駐車経路決定部１０４が決定した誘導経路（たとえば、図６に示す５０−５９経路）から外れた、と判断した場合、車両誘導部１０５は、車両の現在位置を探索する。その探索の結果、当該車両を発見した場合、車両誘導部１０５は、発見したブロックを新たなスタートブロックとして駐車経路決定部１０４に対し、誘導経路の再決定を行うよう通知する。なお、車両誘導部１０５は、車両の現在位置の監視中は定期的に、または連続的に満空情報管理部１０１の満空情報リストを監視し、車両を誘導する目的ブロックに空きがあることを確認する。もし、車両誘導中に目的ブロックに空きがなくなった場合、駐車区域決定部１０３に駐車区域を再決定するよう通知する。
【００３８】
図７は、監視リストの一例を示す図である。監視リストは、誘導中の車両１台に対して１つ作成されるリストである。すなわち、誘導中の車両毎に、監視リストが、駐車経路決定部１０４及び車両誘導部１０５によって、作成される。駐車経路決定部１０４は、決定した誘導経路上（誘導経路の途中）の駐車区域ごとに、誘導するべき車両の通信部のＭＡＣアドレスを登録し、さらに駐車経路決定部１０４は、車両探索タイマを設定する。
【００３９】
車両探索タイマとは、駐車区域の通信装置と当該車両との通信が途絶えてから他の駐車区域の通信装置と当該車両との通信が発生するまでの許容時間である。この車両探索タイマの時間を超過しても誘導経路内の駐車区域の通信装置と当該車両との通信が発生しない場合、車両誘導部１０５は、当該車両が駐車経路決定部１０４が決定した誘導経路から外れた、すなわち、当該車両は見失ったと判定する。また、この車両探索タイマは、駐車区域間の距離や状況に応じて適宜変更できる。たとえば、経路において次の駐車区域との距離が開いている場合や、工事等で徐行あるいは迂回が必要になるため次の駐車区域の通信部との通信に時間がかかる場合はタイマの時間をより大きく設定してもよい。
【００４０】
また、車両発見フラグは、各駐車区域のどの通信部が、誘導経路に従って誘導されている当該車両を発見したかを示すフラグである。誘導経路内の駐車区域の通信部から当該車両との通信を行った旨の通知、すなわち後述する探索結果リストを受信した場合、車両誘導部１０５は、その通信装置が所在する駐車区域の車両発見フラグを、“０”から“１”に変更し、それ以外の駐車区域の車両発見フラグを、全て“０”に変更する。
【００４１】
車両発見回数は、誘導経路内の駐車区域の通信部から当該車両との通信を行った旨の通知、すなわち後述する探索結果リストを受信した回数である。この回数が所定の回数を超えた場合、車両を誘導する目的ブロックに誘導完了する前に、当該車両が誘導経路内の駐車区域に駐車したと判定して誘導を終了する。
【００４２】
図８は、各通信区域の通信部に車両誘導部１０５から送信される個別リストの一例を示す図である。車両誘導部１０５は、監視リスト（図７）を参照し、車両の通信部のＭＡＣアドレスの記載がある駐車区域の行を取得する。さらに、車両誘導部１０５は、案内リスト（図４）を参照し、当該車両の通信部のＭＡＣアドレスに対応する目的ブロックを取得する。その後、車両誘導部１０５は、誘導経路上にあるそれぞれの駐車区域に対して、迷子探索フラグを付与して個別リストを作成し、通信装置２０１に送信する。迷子探索フラグとは、後述する誘導する車両が誘導経路から外れた場合に、当該車両の現在位置を探索する処理を実施するか否かのフラグである。迷子探索フラグが“１”の場合、当該車両の現在位置を探索する処理を実施する。
【００４３】
通信部１０６は、隣接する駐車区域の通信装置あるいは制御装置１００と通信を行う。
【００４４】
図９は、駐車区域５０１に備えられる装置の構成の一例を示すブロック図である。また、図９に図示される構成は、駐車区域５０１のみならず全ての駐車区域の構成に適用される。
【００４５】
照明装置３０１は、例えばＬＥＤ（Ｌｉｇｈｔ  Ｅｍｉｔｔｉｎｇ  Ｄｉｏｄｅ）で構成される。照明装置３０１は、当該駐車区域外から容易に視認できる位置に設置される。
【００４６】
通信装置２０１は、通信部２０１１と、車両検知部２０１２と、照明装置制御部２０１３とを備える。
【００４７】
通信部２０１１は、近隣の駐車区域または車両の通信部との通信が可能な程度の出力電波の強度で通信を行う第１の通信、もしくは第２の通信を行う。ただし、第２の通信は、各ブロックの代表となる駐車区域の通信装置だけが可能である。
【００４８】
第２の通信は、誘導する車両が誘導経路から外れた場合、すなわち受信した個別リスト（図８）の迷子探索フラグが“１”の場合、当該車両の現在位置を探索するために実施される。第２の通信での出力電波の強さは、当該通信装置２０１を有する駐車区域を含むブロックの近隣に当該車両があった場合に通信ができ、かつ駐車場５００のどの位置に当該車両があっても、必ずいずれかの１つの各ブロックの代表となる駐車区域の通信装置と通信できる程度の強度に設定される。車両の現在位置の近隣の駐車区域に備えられる通信部は、制御装置１００の通信部１０６とも通信を行う。
【００４９】
また、制御装置１００が送信した個別リスト（図８）を受信し、かつ受信した個別リストの迷子探索フラグが“０”であった場合、通信部２０１１は、誘導経路上の照明装置３０１を第１の作動状態にするよう照明装置制御部２０１３に通知する。点灯や点滅など、照明装置３０１の第１の作動状態は限定しない。受信した個別リストの迷子探索フラグが“１”であった場合は、通信部２０１１は、誘導経路上の照明装置３０１を制御しない。
【００５０】
また、通信部２０１１は、照明装置３０１を第１の作動状態にした場合、近隣の車両の通信部と通信し、受信した個別リストに登録されているＭＡＣアドレスの通信部を有する車両があるか定期的に探索する。もし通信部２０１１が当該車両と通信した場合、照明装置３０１を第２の作動状態にするよう照明装置制御部２０１３に通知する。消灯や点滅など、第１の作動状態と状態が異なっていればよく、照明装置３０１の第２の作動状態は限定しない。以降の説明では、第１の作動状態は点灯、第２の作動状態は消灯とする。
【００５１】
また、通信部２０１１は、探索の結果、当該車両と通信した場合、探索結果リストを作成し、制御装置１００に向けマルチホップ通信を行い送信する。ここで、「制御装置１００に向けマルチホップ通信を行い送信する」とは、例えば、ブロック５０の各駐車区域と制御装置１００との間の駐車区域のうち、直接的には駐車区域５０１の近隣の駐車区域（駐車区域５０２）の通信部に対して通信を行い、送信することである。通信し受信した駐車区域の通信部は、更に制御装置１００に向く方向の近隣の駐車区域の通信部に対して通信を行い送信する。これを繰り返すことで、駐車区域５０１の通信部２０１１が送信した情報は、他の駐車区域の通信部を経由して、最終的に制御装置１００に送信される。なお、受信した個別リストに登録されているＭＡＣアドレスの通信部を有する車両の探索は、誘導が完了するまで定期的に実施されるため、当該車両と通信した場合、その都度探索結果リストを作成し、制御装置１００に送信する。
【００５２】
図１０は、探索結果リストの一例を示す図である。図１０は、ブロック５１における駐車領域５０８が車両４０１を発見し、通信を行った場合に作成する探索結果リストの例である。この探索結果リストを制御装置１００が受信した場合、車両誘導部１０５は、監視リストを更新し、駐車区域５０８の行の車両発見フラグを“０”から“１”に変更し、それ以外の駐車区域の車両発見フラグを、全て“０”に変更する。
【００５３】
車両検知部２０１２は、駐車区域５０１に車両が止まっているか否かを検知する。例えば車両検知部２０１２は、赤外線センサによって構成されるが、カメラや荷重検知などのその他の方法により検知してもよい。車両検知部２０１２の状態が変化した場合、通信部２０１１は、変化の情報、たとえば空車が満車に変わった情報を駐車区域状態リストとして制御装置１００に向けマルチホップ通信を行い送信する。
【００５４】
図１１は、車両検知部２０１２によって生成される駐車区域状態データの一例を示す図である。車両検知部２０１２は、駐車領域５０３が満車となったことを制御装置１００に通知するために作成される。図１１に示すように、駐車区域状態データは、駐車区域を示す情報と満空情報からなる。この駐車区域状態データは、車両検知部２０１２から通信部２０１１に転送され、通信部２０１１から制御装置１００に送信される。制御装置１００が各駐車区域の通信部２０１１から駐車区域状態データを受信した場合、満空情報管理部１０１は、満空情報リスト（図３）を更新し、駐車区域５０３の行の満空情報を“０”から“１”に変更する。
【００５５】
照明装置制御部２０１３は、制御装置１００の車両誘導部１０５から送信される個別リストに記載の内容に基づき、照明装置３０１を制御する。また、照明装置制御部２０１３は、所定の時間、照明装置３０１を消灯以外の状態にした場合、照明装置３０１を消灯する。
【００５６】
図１２は、駐車場５００内に入場する車両４００の構成の一例を示すブロック図である。また、図１２に図示される構成は、車両４００のみならず全ての駐車場５００内に入場する車両の構成に適用される。
【００５７】
車両４００は、通信部４１０を備える。
【００５８】
通信部４１０は、車両４００の近隣の駐車区域の通信部との通信が可能な程度の出力の通信を行う。このため、通信部４１０は、例えばカーナビのような車載機器の他に、例えばスマートフォンのような携帯端末であってもよく、あらかじめ駐車場５００内に入場する時に発行される駐車券に通信チップを内蔵し、その通信チップにより実現してもよい。
【００５９】
図１３は、本発明の第１の実施の形態における制御装置１００をコンピュータ装置で実現した場合のハードウェア構成例を示す図である。図１３に示されるように、制御装置１００は、それぞれ通信インタフェース１０、ＣＰＵ（Ｃｅｎｔｒａｌ  Ｐｒｏｃｃｅｓｓｉｎｇ  Ｕｎｉｔ）１１、出力装置１２、入力装置１３、主記憶装置１４、および二次記憶装置１５を含む。
【００６０】
通信インタフェース１０は、処理装置および周辺端末との通信のための入出力インタフェースを構成する。また通信インタフェース１０は、制御装置１００に接続する図示しないネットワークとの接続制御のためのインタフェースも含む。具体的には、制御装置１００の通信インタフェース１０は、通信部１０６として動作する。
【００６１】
ＣＰＵ１１は、オペレーティングシステムを動作させて本発明の第１の実施の形態に係る制御装置１００の全体を制御する。また、ＣＰＵ１１は、例えば二次記憶装置１５から主記憶装置１４にプログラムまたはデータを読み出す。具体的には、制御装置１００のＣＰＵ１１は、第１の実施の形態における満空情報管理部１０１と、車両管理部１０２と、駐車区域決定部１０３と、駐車経路決定部１０４と、車両誘導部１０５として動作し、それぞれプログラム制御に基づいて各種の処理を実行する。また、制御装置１００のＣＰＵ１１は、１つに限らず２つ以上備えていてもよい。
【００６２】
出力装置１２は、例えばディスプレイ、表示器で実現され、出力を確認するために用いられる。
【００６３】
入力装置１３は、例えばマウスやキーボード、内蔵のキーボタン等で実現され、入力操作に用いられる。入力装置１３は、マウスやキーボード、内蔵のキーボタンに限らず、例えばタッチパネルでもよい。
【００６４】
主記憶装置１４は、ＣＰＵ１１の制御に基づく作業用メモリである。
【００６５】
二次記憶装置１５は、例えば光ディスク、フレキシブルディスク、磁気光ディスク、外付けハードディスク、または半導体メモリ等であって、コンピュータプログラムをコンピュータ読み取り可能に記録する。二次記憶装置１５は、制御装置１００が実行するためのコンピュータプログラムを一時的に記憶するまたは非一時的に記憶する。したがって、ＣＰＵ１１は、二次記憶装置１５に記録されているコンピュータプログラムを読み込み、そのプログラムにしたがって、満空情報管理部１０１と、車両管理部１０２と、駐車区域決定部１０３と、駐車経路決定部１０４と、車両誘導部１０５として動作してもよい。
【００６６】
また、コンピュータプログラムは、通信網に接続されている図示しない外部コンピュータからダウンロードされてもよい。また、制御装置１００の二次記憶装置１５は、第１の実施の形態における満空情報管理部１０１と、車両管理部１０２と、駐車区域決定部１０３と、駐車経路決定部１０４と、車両誘導部１０５のそれぞれの情報記憶デバイスとして機能する。
【００６７】
なお、第１の実施の形態の説明において利用されるブロック図（図１）には、機能単位のブロックが示されている。これらの機能ブロックは、図１３に示すコンピュータ装置に限らず、各部がハードウェア回路によって実現されてもよい。ただし、制御装置１００が備える各部の実現手段は特に限定されない。すなわち、制御装置１００は、物理的に結合した１つの装置により実現されてもよいし、物理的に分離した２つ以上の装置を有線または無線で接続し、これら複数の装置により実現されてもよい。
【００６８】
以上のように構成された車両誘導システム１０００の動作について、図１４〜図２０のフローチャートを参照して説明する。
【００６９】
図１４は、第１の実施の形態における制御装置１００での満空情報リスト（図３）の更新の動作の概要を示すフローチャートである。尚、このフローチャートによる処理は、前述したＣＰＵ１１によるプログラム制御に基づいて、実行されても良い。
【００７０】
図１４に示すように、まず、満空情報管理部１０１は、駐車場５００内の全ての駐車区域にそれぞれ設置された通信装置から、満空情報を示す駐車区域状態データを受信する（ステップＳ１０１）。満空情報管理部１０１は、受信した各駐車区域状態データの内容に基づき、図示しない記憶部あるいは二次記憶装置１５に記憶された満空情報リストの、全ての駐車区域の項目の満空情報を更新する（ステップＳ１０２）。
【００７１】
以上で、制御装置１００は、満空情報リストの更新の動作を終了する。なお、この満空情報リストの更新の動作は、制御装置１００が通信装置から駐車区域状態データを受信するたびに実施する。また、制御装置１００が駐車区域状態データを受信した場合、駐車区域状態データを図示しない記憶部に記憶し、定期的にまとめて満空情報リストの更新の動作を実施する方法でも構わない。
【００７２】
図１５は、第１の実施の形態における制御装置１００での案内リスト（図４）の更新の動作の概要を示すフローチャートである。尚、このフローチャートによる処理も、前述したＣＰＵ１１によるプログラム制御に基づいて、実行されても良い。
【００７３】
図１５に示すように、まず、新たな車両（ここでは図１に示す車両４０１）の情報、すなわち車両４０１の通信部のＭＡＣアドレスを受信した場合、車両管理部１０２は、案内リストに新たな車両４０１の通信部のＭＡＣアドレスを追加する（ステップＳ２０１）。
【００７４】
次に、駐車区域決定部１０３は、満空情報リストに記載された満空情報に基づき、空車の駐車区域のあるブロックを判定し、そのブロックの中から車両４０１を誘導するべき目的ブロックを決定する。また、駐車区域決定部１０３は、決定した目的ブロックを車両管理部１０２に通知する（ステップＳ２０２）。決定の方法はどのような方法でもよい。例えば決定の方法は、全てのブロックに１台ずつ割り当てる方法でもよいし、駐車場５００の隅の方の駐車区域から順番に割り当てる方法でもよい。
【００７５】
次に、車両管理部１０２は、案内を始めるスタートブロック、すなわち車両４０１の現在地が属するブロックと、駐車区域決定部１０３から通知される目的ブロック（目的ブロック５０）の情報に基づき、案内リストを更新する（ステップＳ２０３）。案内を始めるスタートブロックは、入場直後の車両の場合、入場口から最も近い駐車区域のブロックもしくは入場口の通信装置のブロックとなる。
【００７６】
以上で、制御装置１００は、案内リスト（図４）の更新の動作を終了する。
【００７７】
図１６は、第１の実施の形態における制御装置１００での監視リスト更新と個別リスト送信の動作の概要を示すフローチャートである。尚、このフローチャートによる処理も、前述したＣＰＵ１１によるプログラム制御に基づいて、実行されても良い。
【００７８】
図１６に示すように、まず、駐車経路決定部１０４は、図４に示す案内リストを参照し、車両４０１の現在位置情報（ブロック５９）と目的ブロックの情報を取得する（ステップＳ３０１）。
【００７９】
次に、駐車経路決定部１０４は、車両４０１の現在位置情報と目的ブロックの情報と経路リスト（図５及び図６）に記載の内容に基づき、誘導する誘導経路を決定し監視リスト（図７）に登録する（ステップＳ３０２）。車両４０１の監視リストが存在していない場合は、駐車経路決定部１０４は、新規作成し登録する。既に存在している場合は、駐車経路決定部１０４は、既存の情報をすべて削除したうえで登録する。
【００８０】
次に、車両誘導部１０５は、誘導経路上にある駐車区域の照明装置を制御する情報を個別リスト（図８）として作成し、誘導経路上にある駐車区域の通信装置に送信する（ステップＳ３０３）。
【００８１】
以上で、制御装置１００は、監視リスト更新と個別リスト送信の動作を終了する。
【００８２】
図１７は、第１の実施の形態における駐車区域５０１の照明装置３０１と通信装置２０１での車両の誘導の動作の概要を示すフローチャートである。尚、このフローチャートによる処理も、前述したＣＰＵ１１によるプログラム制御に基づいて、実行されても良い。また、駐車区域５０１の照明装置３０１と通信装置２０１の動作として説明しているが、全ての駐車区域に対して照明装置と通信装置は、同様に動作する。
【００８３】
図１７に示すように、まず、図１６に示すステップＳ３０３での処理により、通信装置２０１が制御装置１００から個別リストを受信した場合、通信部２０１１は、監視リスト（図７）に登録されている誘導経路上の照明装置３０１を第１の作動状態にするよう照明装置制御部２０１３に通知する。また、通知を受けた照明装置制御部２０１３は、照明装置３０１を、誘導のための第１の作動状態に制御する（ステップＳ４０１）。また、通信部２０１１は、近隣の車両の通信部と通信し、受信した個別リストに記載のＭＡＣアドレスの通信部を有する車両４０１が誘導経路上にあるか探索する（ステップＳ４０２）。
【００８４】
もし、当該車両４０１を検出した場合（ステップＳ４０２でＹＥＳ）、通信部２０１１は、照明装置３０１を第２の作動状態にするよう照明装置制御部２０１３に通知する。また、通知を受けた照明装置制御部２０１３は、照明装置３０１を、誘導のための第２の作動状態に制御する（ステップＳ４０３）。また、通信部２０１１は、探索結果リスト（図１０）を作成し、制御装置１００に向けマルチホップ通信を行い送信する（ステップＳ４０４）。
【００８５】
当該車両４０１を検出せず（ステップＳ４０２でＮＯ）、所定の時間（この所定の時間は図７の監視リストに示す車両探索タイマの設定時間ではない）を経過している場合（ステップＳ４０５でＹＥＳ）、通信部２０１１は、照明装置制御部２０１３に消灯を通知する。また、通知を受けた照明装置制御部２０１３は、照明装置３０１を消灯し、通信部２０１１は、車両４０１の探索を終了する（ステップＳ４０６）。当該車両４０１を検出せず（ステップＳ４０２でＮＯ）、所定の時間を経過していない場合は、探索を継続する（ステップＳ４０２）。
【００８６】
以上で、駐車区域５０１の照明装置３０１と通信装置２０１は、車両の誘導の動作を終了する。本動作は通信装置２０１が制御装置１００から個別リストを受信した場合、都度実施する。
【００８７】
図１８は、第１の実施の形態における制御装置１００での車両誘導制御の動作の概要を示すフローチャートである。尚、このフローチャートによる処理も、前述したＣＰＵ１１によるプログラム制御に基づいて、実行されても良い。
【００８８】
図１８に示すように、まず、車両誘導部１０５は、満空情報管理部１０１の満空情報リストを監視し、車両を誘導する目的ブロック（目的ブロック５０）に空きがあることを確認する（ステップＳ５０１）。もし、目的ブロック５０に空きがない場合（ステップＳ５０１でＮＯ）、車両誘導部１０５は、その空きがないことを駐車区域決定部１０３に通知し、車両管理部１０２は再び誘導するべき目的ブロックを決定、すなわちステップＳ２０２以降を実施する（ステップＳ５０２）。この場合、図１５に示すフローが実施される。
【００８９】
目的ブロック５０に空きがある場合（ステップＳ５０１でＹＥＳ）、車両誘導部１０５は、誘導する誘導経路上にある駐車区域（たとえば、駐車区域５０８）の通信装置からの探索結果リスト（図１０）の受信を待機する（ステップＳ５０３）。探索結果リストを受信した場合（ステップＳ５０３でＹＥＳ）、車両誘導部１０５は、受信した探索結果リストの内容に基づき、監視リスト（図７）の当該駐車区域の行の車両発見フラグを“０”から“１”に変更し、それ以外の駐車区域の車両発見フラグを、全て“０”に変更する（ステップＳ５０４）。また、車両誘導部１０５は、当該駐車区域の行の車両発見回数を１つ加算する（ステップＳ５０５）。
【００９０】
次に、ステップＳ５０５で加算した結果、車両発見回数が所定の回数に達した場合（ステップＳ５０６でＹＥＳ）、車両誘導部１０５は、当該車両が、探索結果リストを送信した通信装置のある駐車区域もしくはその付近の駐車区域に駐車したとみなす。つまり、車両誘導部１０５は、車両管理部１０２に車両誘導完了を通知して（ステップＳ５０７）車両誘導を終了する。
【００９１】
ステップＳ５０５で加算した結果、車両発見回数が所定の回数に達していない場合（ステップＳ５０６でＮＯ）、車両誘導部１０５は、当該駐車区域が当該車両４０１の目的ブロック内の駐車区域か否か、案内リスト（図４）を参照して確認する（ステップＳ５０８）。当該車両の目的ブロック５０内の駐車区域の場合（ステップＳ５０８でＹＥＳ）、車両誘導部１０５は、車両管理部１０２に車両誘導完了を通知して（ステップＳ５０７）車両誘導を終了する。
【００９２】
当該駐車区域が当該車両の目的ブロック内の駐車区域ではない場合（ステップＳ５０８でＮＯ）、または探索結果リストを受信しない場合（ステップＳ５０３でＮＯ）、監視リストを参照し、前回探索結果リストを受信してから現在までの時間が、前回探索結果リストを受信した駐車区域の車両探索タイマに登録された時間を経過していなければ（ステップＳ５０９でＮＯ）、車両誘導部１０５は、ステップＳ５０１に戻り、継続して目的ブロック５０の確認と探索結果リストの受信を待機する。前回探索結果リストを受信してから現在までの時間が、前回探索結果リストを受信した駐車区域の車両探索タイマに登録された時間を経過した場合（ステップＳ５０９でＹＥＳ）、車両誘導部１０５は、当該車両が駐車経路決定部１０４が決定した誘導経路から外れたと判断し、後述する迷子車両探索の処理を実施する（ステップＳ５１０）。
【００９３】
以上で、制御装置１００は、車両誘導制御の動作を終了する。
【００９４】
図１９は、第１の実施の形態における制御装置１００での車両４０１誘導完了後の案内リスト（図４）と監視リストの処理の動作の概要を示すフローチャートである。尚、このフローチャートによる処理も、前述したＣＰＵ１１によるプログラム制御に基づいて、実行されても良い。
【００９５】
図１９に示すように、まず、車両管理部１０２は、車両誘導部１０５から車両誘導完了を通知された場合、車両管理部１０２は、当該車両４０１の情報を案内リストから削除する（ステップＳ６０１）。また、車両管理部１０２は、当該車両４０１の監視リストを削除する（ステップＳ６０２）。
【００９６】
以上で、制御装置１００は、車両４０１誘導完了後の案内リスト（図４）と監視リストの処理の動作を終了する。
【００９７】
図２０は、第１の実施の形態における制御装置１００での迷子車両探索の動作の概要を示すフローチャートである。尚、このフローチャートによる処理も、前述したＣＰＵ１１によるプログラム制御に基づいて、実行されても良い。
【００９８】
図２０に示すように、まず、車両誘導部１０５は、当該車両が現在どの位置にいるかを確認するために、当該車両の通信部のＭＡＣアドレスの情報を登録した迷子探索フラグが“１”である個別リストを作成する。また、車両誘導部１０５は、各ブロックの代表となる駐車区域の通信装置に送信し、当該車両との通信を試みるよう通知する（ステップＳ７０１）。各ブロックの代表となる駐車区域は、駐車場５００の構造や配置を考慮してあらかじめ決められる。また、各ブロックの代表となる駐車区域の通信装置は、迷子探索フラグが“１”である個別リストを受信した場合、すなわち迷子車両探索の動作の場合、第２の通信を行う。第２の通信において、当該ブロックの近隣に当該車両があった場合、各ブロックの代表となる駐車区域の通信装置は、駐車場５００のどの位置に当該車両があっても、必ずいずれか１つの各ブロックの代表となる駐車区域の通信装置と通信できる程度の通信強度に設定される。これによって、一つのブロックの代表となる駐車区域の通信装置は、他のブロックの代表となる駐車区域の通信装置と通信を行い、当該車両を検出することができる。各ブロックの代表となる駐車区域は、当該ブロックの中心に近い位置に通信装置が設置されている駐車区域が望ましい。
【００９９】
次に、通知を受けた各ブロックの代表となる駐車区域の通信装置の１つからの当該車両発見の通知（すなわち探索結果リスト）を制御装置１００が受信した場合（ステップＳ７０２でＹＥＳ）、車両誘導部１０５は、発見した通信装置の駐車区域が属するブロックをスタートブロックに、目的ブロックを当該車両の誘導時と同じブロックに設定するよう駐車経路決定部１０４に通知する。さらに、車両管理部１０２は、再び案内リストを更新、すなわちステップＳ２０３以降を実施する（ステップＳ７０３）。ここで、駐車区域の通信装置が通知する当該車両発見の通知は探索結果リストの送信とする。すなわち、通知には、発見した駐車区域と発見した車両の通信部のＭＡＣアドレス、車両発見フラグの情報が含まれる。各ブロックの代表となる駐車区域の通信装置からの当該車両発見の通知を制御装置１００が受信できない場合（ステップ７０２でＮＯ）、車両誘導部１０５は、駐車場５００内には当該車両はないと判断し、車両誘導完了を車両管理部１０２に通知する（ステップＳ７０４）。
【０１００】
以上で、制御装置１００は、迷子車両探索の動作を終了する。
【０１０１】
次に、本発明の第１の実施の形態の効果について説明する。
【０１０２】
上述した本実施形態における車両誘導システムは、車両の位置を極めて高精度で特定することができる。
【０１０３】
その理由は、以下のような構成を含むからである。即ち、第１に通信装置２０１は、近隣の駐車区域における通信装置または車両の通信部と通信を行う。たとえば、通信装置２０１の通信部２０１１が行う第１の通信の出力電波の強度は、近隣の駐車区域または車両の通信部との通信が可能な程度に抑えることができる。これにより、通信部２０１１が行う第１の通信は、通信可能範囲が狭い領域に限定される。
【０１０４】
また、制御装置１００は、車両の現在位置から目的ブロックへの誘導経路を決定する。さらに、制御装置１００は、決定した誘導経路に位置する駐車区域の通信装置２０１に車両の識別情報を通知する。また、識別情報を通知された通信装置２０１が、車両を検知し、目的ブロックへ誘導する。このように、車両の誘導時に、その車両と通信を行う通信装置２０１は、制御装置１００によって誘導経路にある駐車区域での通信装置に特定され、車両と通信を行う。したがって、本車両誘導システムは、車両の通信部４１０との通信が確立された際に車両の位置を極めて高精度で特定することができるという効果が得られる。
【０１０５】
また、車両位置検出の手段は、駐車区域と車両の通信部との１対１の通信による車両位置を特定する方法に限らない。例えば、車両位置検出の手段は、近隣の複数駐車区域と車両の通信部との通信強度を読み取り、得られた複数駐車区域からの電波強度をもって自動車の位置を特定する方法でも良い。
【０１０６】
また、上述した本実施形態における車両誘導システムは、システム全体の負荷を軽減できる。
【０１０７】
その理由は、以下のような構成を含むからである。即ち、第１に、制御装置１００は、１つないし複数の駐車区域毎にブロックが設定された駐車場５００における車両誘導を制御するため、車両を誘導する先である駐車区域を含む目的ブロックと、車両の現在位置から目的ブロックへの誘導経路を決定する。さらに、制御装置１００は、決定した誘導経路に位置する駐車区域の通信装置２０１に車両の識別情報を通知する。第２に、識別情報を通知された通信装置２０１が、車両を検知し、目的ブロックへ誘導するよう誘導経路上に位置する照明装置３０１を制御する。つまり、制御装置１００から、識別情報が通知される通信装置２０１による車両の探索と誘導は、その誘導経路上にある駐車区域の通信装置２０１と照明装置３０１だけであり、制御装置１００による探索指示を逐一受けることなく、車両の識別情報を受けることで自律的に車両を誘導することができる。これにより、不必要な通信が抑えられ、通信帯域の効率利用が可能となるので、本車両誘導システムは、システム全体の負荷を軽減できるという効果が得られる。
【０１０８】
また、上述した本実施形態における車両誘導システムは、比較的安易にネットワークを構築できると言う効果も得られる。なぜなら、駐車区域の通信装置は、制御装置１００とマルチホップ通信を行うため、駐車区域の通信装置は、隣接する駐車区域の通信部あるいは近隣の車両の通信部との通信が可能な程度の出力の通信が行えればよい。すなわち、駐車区域の通信装置は、隣接する駐車区域の通信部あるいは近隣の車両の通信部以外の駐車区域や制御装置１００と単独で通信できる程度の通信出力を備える必要はないためである。なお、制御装置１００の迷子車両探索の動作において、各ブロックの代表となる駐車区域の通信装置は、次のような通信強度に設定されることが必要である。その強度は、当該ブロックの近隣に当該車両があった場合にその車両と通信ができ、かつ駐車場５００のどの位置に当該車両があっても、必ずいずれか１つの各ブロックの代表となる駐車区域の通信装置と通信できる程度の通信強度である。しかし、その場合においても、各ブロックの代表となる駐車区域の通信装置は、近隣ではない他のブロックの駐車区域や制御装置１００と単独で通信できる程度の通信出力を備える必要はない。
【０１０９】
［第２の実施形態］
次に、本発明の第２の実施形態について図面を参照して詳細に説明する。以下、本実施形態の説明が不明確にならない範囲で、前述の説明と重複する内容については説明を省略する。
【０１１０】
図２１は、本発明の第２の実施形態に係る車両誘導システム１０１０の構成の一例を示す概略の上面図である。
【０１１１】
図２１を参照すると、本実施形態における車両誘導システム１０１０は、第１の実施形態のそれと比べて、制御装置１００の代わりに制御装置１１０を備える。また、本実施形態における車両誘導システム１０１０は、新たに駐車場５００の入場口に表示装置１１１を備える。
【０１１２】
図２２は、制御装置１１０の構成の一例を示すブロック図である。本実施形態における制御装置１１０は、第１の実施形態のそれと比べて、車両管理部１０２の代わりに車両管理部１１２を、車両誘導部１０５の代わりに車両誘導部１１５を備える。
【０１１３】
図２３は、本実施形態における駐車区域５０１に備えられる装置の構成の一例を示すブロック図である。また、図２３に図示される構成は、駐車区域５０１のみならず全ての駐車区域の構成に適用される。本実施形態における駐車区域５０１は、通信装置２０１の代わりに通信装置２１１を、照明装置３０１の代わりに照明装置３１１を備える。通信装置２１１は、照明装置制御部２０１３の代わりに照明装置制御部２０２３を備える。
【０１１４】
照明装置３１１は、複数の色を発光できる照明とする。また、複数の色を同時に発光できる照明であることが望ましい。
【０１１５】
表示装置１１１は、車両４０１が駐車場５００に入場する場合、車両４０１に対して車両管理部１１２から通知された照明色を表示する。このことによって、表示装置１１１は、この色の照明に従って駐車場５００内を進行するよう車両の運転手に認識させる。
【０１１６】
車両管理部１１２は、新たに車両の情報を受信した場合、ステップＳ２０２で案内リストに車両情報（車両の通信部のＭＡＣアドレス）を追加する。この時、車両管理部１１２は、さらに当該車両を誘導する照明色を決定し、案内リストに追加する。複数の車両情報が案内リストに登録される場合、車両管理部１１２は、それぞれ別の照明色を割り当てる。また、車両管理部１１２は、表示装置１１１に決定した照明色を通知する。
【０１１７】
図２４は、本実施形態における案内リストの一例を示す図である。図４に示す案内リストと比べて、新たに照明色の列が追加されている。この照明色は照明装置３１１が発光できる色の中から一つを選択することとし、その選択の方法はどのような方法であっても良い。
【０１１８】
車両誘導部１１５は、ステップＳ３０３で誘導経路上にある駐車区域の照明装置を制御する情報を個別リストとして作成し、誘導経路上にある駐車区域の通信装置に送信する。この時、車両誘導部１１５は、さらに案内リストの内容に基づき、当該車両を誘導する照明色を個別リストに追加する。図２５は、本実施形態における個別リストの一例を示す図である。図８に示す個別リストと比べて、新たに照明色の列が追加されている。
【０１１９】
照明装置制御部２０２３は、ステップＳ４０２で照明装置３１１を第１の作動状態に制御する。また、照明装置制御部２０２３は、ステップＳ４０４で照明装置３１１を第２の作動状態に制御する。この時の照明色は、通信装置２０１が受信した個別リストの内容に基づく。
【０１２０】
次に、本発明の第２の実施の形態の効果について説明する。
【０１２１】
上述した本実施形態における車両誘導システムは、複数の車両を混同することなく同時に誘導できる。
【０１２２】
その理由は、以下のような構成を含むからである。即ち、第１に照明装置は、複数の色を発光できる照明とし、車両管理部１１２は、複数の車両情報を案内リストに登録する場合、それぞれの車両に対し別の照明色を割り当てる。第２に、駐車場５００に入場する車両４０１の誘導開始時にあらかじめ車両管理部１１２から通知された、誘導する照明の色を通知する表示装置１１１を更に備える。このことにより、表示装置１１１は、この色の照明に従って駐車場５００内を進行するよう車両の運転手に認識させる。第３に、照明装置制御部２０２２は、個別リストの内容に基づき指定された照明色で車両の誘導を行う。これにより、複数の車両が駐車場５００内に混在する場合、それぞれの車両をそれぞれ別の色の照明で誘導することが可能となるので、本車両誘導システムは、複数の車両を混同することなく同時に誘導できるという効果が得られる。
【０１２３】
［第３の実施形態］
次に、本発明の第３の実施形態について図面を参照して詳細に説明する。以下、本実施形態の説明が不明確にならない範囲で、前述の説明と重複する内容については説明を省略する。
【０１２４】
図２６は、本発明の第３の実施形態に係る車両誘導システム１０２０の構成の一例を示す概略の上面図である。
【０１２５】
図２６を参照すると、本実施形態における車両誘導システム１０２０は、第１の実施形態のそれと比べて、制御装置１００の代わりに制御装置１２０を備える。また、本実施形態における車両誘導システム１０２０は、新たに駐車場５００の入場口に入力装置１２１を備える。
【０１２６】
図２７は、制御装置１２０の構成の一例を示すブロック図である。本実施形態における制御装置１２０は、第１の実施形態のそれと比べて、車両管理部１０２の代わりに車両管理部１２２を、駐車区域決定部１０３の代わりに駐車区域決定部１１３を備える。
【０１２７】
入力装置１２１は、駐車場５００に入場する車両４０１に対し、どのブロックに駐車したいかという情報であるユーザーニーズ情報を受け付ける。ユーザーニーズ情報は、希望するブロックを指定する情報に限らず、駐車後どの通路、エレベータなどの移動手段から駐車場５００外に出るかなど、駐車したいブロックの傾向を抽出できる情報でも構わない。ユーザーニーズ情報に含まれる駐車したいブロックの情報は、希望駐車ブロックとも呼ばれる。また、入力させる手段は、入力装置１２１に直接入力させる方法に限らず、車両４０１内のナビゲーションやスマートフォン含む情報装置と入力装置１２１との通信により入力する方法でも構わない。ユーザーニーズ情報を受信した場合、入力装置１２１は、速やかに制御装置１２０の車両管理部１２２に送信される。
【０１２８】
車両管理部１２２は、新たに車両の情報を受信した場合、ステップＳ２０２で案内リストに車両情報（車両の通信部のＭＡＣアドレス）を追加する。この時、さらに車両管理部１２２は、当該車両のユーザーニーズ情報を受信し、ユーザーニーズ情報に合致するユーザーニーズブロックを決定し、案内リストに追加する。ユーザーニーズ情報が希望するブロックを指定する情報（希望駐車ブロック）であれば、車両管理部１２２は、ユーザーニーズ情報をそのままユーザーニーズブロックとして登録する。ユーザーニーズ情報が駐車したいブロックの傾向を抽出できる情報であれば、車両管理部１２２は、傾向に最も合致するブロックをユーザーニーズブロックとして登録する。図２８は、本実施形態における案内リストの一例を示す図である。図４に示す案内リストと比べて、新たにユーザーニーズブロックの列が追加されている。
【０１２９】
駐車区域決定部１１３は、ステップＳ２０５で誘導するべき目的ブロックを決定し、車両管理部１０２に通知する。この時、駐車区域決定部１１３は、案内リストの当該車両のユーザーニーズブロックを参照し、ユーザーニーズブロックに空き駐車区域が存在するか否か確認する。もし空き駐車区域がなければ、ユーザーニーズブロックに最も近いブロックから順番に空き駐車区域が存在するか否か確認する。もし空き駐車区域のあるブロックが見つかった場合、発見したブロックを目的ブロックとして決定する。
【０１３０】
また、駐車区域決定部１１３は、ステップＳ５０１で車両を誘導する目的ブロックに空きがない場合、再び案内リスト更新の処理を実施する。この時も同様にまずは駐車区域決定部１１３は、案内リストの当該車両のユーザーニーズブロックから空き駐車区域が存在するか否か確認し、空き駐車区域がある場合、目的ブロックとして決定する。空き駐車区域がない場合、ユーザーニーズブロックに最も近いブロックから順番に空き駐車区域が存在するか否か確認する。
【０１３１】
次に、本発明の第３の実施の形態の効果について説明する。
【０１３２】
上述した本実施形態における車両誘導システムは、より車両の運転手の希望に沿った駐車区域に誘導できる。
【０１３３】
その理由は、以下のような構成を含むからである。即ち、制御装置１２０は、車両４０１から希望駐車ブロックの通知を受信した場合、通知に基づき車両４０１に対し誘導する目的ブロックと、車両４０１の現在位置から目的ブロックへの誘導経路を決定する。具体的には、第１に、入力装置１２１は、駐車場５００に入場する車両４０１に対し、駐車したいブロックの情報である希望駐車ブロックを含むユーザーニーズ情報を受け付ける。第２に、車両管理部１２２は、ユーザーニーズ情報に最も合致するユーザーニーズブロックを決定し、案内リストに追加する。第３に、駐車区域決定部１１３は、ユーザーニーズブロックに空き駐車区域が存在するか否か確認する。もし空き駐車区域がなければ、車両管理部１２２は、ユーザーニーズブロックに最も近いブロックから順番に空き駐車区域が存在するか否か確認する。もし空き駐車区域のあるブロックが見つかった場合、発見したブロックを目的ブロックとして決定する。これにより、駐車場５００に入場する車両４０１の希望が目的ブロック決定に反映されるので、本車両誘導システムは、より車両の運転手の希望に沿った駐車区域に誘導できるという効果が得られる。
【０１３４】
また、第２の実施形態と第３の実施形態は組み合わせて実施しても構わない。
【０１３５】
次に、本発明の実施形態の基本的な構成について説明する。実施形態の車両誘導システムは、制御装置と、通信装置とを備える。
【０１３６】
制御装置は、車両を駐車するための１つないし複数の駐車区域を含むブロックで区画された駐車場における車両の誘導を制御する。
【０１３７】
通信装置は、それぞれの駐車区域に設置された照明装置と、近隣の駐車区域における通信装置または車両の通信手段と通信を行う。
【０１３８】
また制御装置は、車両を誘導する先である駐車区域を含む目的ブロックと、車両の現在位置から目的ブロックへの誘導経路を決定し、誘導経路に位置する駐車区域の通信装置に車両の識別情報を通知する。
【０１３９】
そして、識別情報を通知された通信装置は、車両を検知し、目的ブロックへ誘導するよう誘導経路上に位置する照明装置を制御する。
【０１４０】
本実施形態では、車両の誘導時に、その車両と通信を行う通信装置２０１は、制御装置１００によって誘導経路にある駐車区域での通信装置に特定され、車両と通信を行う。したがって、本車両誘導システムは、車両の通信部４１０との通信が確立された際に車両の位置を極めて高精度で特定することができるという効果が得られる。
【０１４１】
また、本実施形態における車両誘導システムは、システム全体の負荷を軽減できる。
【０１４２】
その理由は、以下のような構成を含むからである。即ち、第１に、制御装置は、車両を誘導する先である駐車区域を含む目的ブロックと、車両の現在位置から目的ブロックへの誘導経路を決定する。さらに、制御装置は、決定した誘導経路に位置する駐車区域の通信装置に車両の識別情報を通知する。また、識別情報を通知された通信装置が、車両を検知し、目的ブロックへ誘導するよう誘導経路上に位置する照明装置を制御する。つまり、制御装置から、識別情報が通知される通信装置による車両の探索と誘導は、その誘導経路上にある駐車区域の通信装置と照明装置だけであり、制御装置による探索指示を逐一受けることなく、車両の識別情報を受けることで自律的に車両を誘導することができる。これにより、不必要な通信が抑えられ、通信帯域の効率利用が可能となるので、本車両誘導システムは、システム全体の負荷を軽減できるという効果が得られる。
【０１４３】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【０１４４】
以上、各実施の形態を参照して本発明を説明したが、本発明は上記実施の形態に限定されるものではない。本発明の構成や詳細には、本発明のスコープ内で当業者が理解し得る様々な変更をすることができる。
【０１４５】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【０１４６】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【０１４７】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【０１４８】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【０１４９】
上記の実施形態の一部又は全部は、以下の付記のようにも記載されうるが、以下には限られない。
【０１５０】
（付記１）車両を駐車するための１つないし複数の駐車区域を含むブロックで区画された駐車場における車両の誘導を制御するための制御装置と、
それぞれの駐車区域に設置された照明装置と、近隣の駐車区域における通信装置または車両の通信手段と通信を行う通信装置とを備え、
制御装置が、車両を誘導する先である駐車区域を含む目的ブロックと、車両の現在位置から目的ブロックへの誘導経路を決定し、誘導経路に位置する駐車区域の通信装置に車両の識別情報を通知し、
識別情報を通知された通信装置が、車両を検知し、目的ブロックへ誘導するよう誘導経路に位置する照明装置を制御する
車両誘導システム。
【０１５１】
（付記２）それぞれ通信装置と識別情報に合致した車両の通信部とが通信した結果、通信装置が、照明装置の出力を変更することを特徴とする付記１に記載の車両誘導システム。
【０１５２】
（付記３）誘導経路に位置する駐車区域の通信装置は、車両の通信部と通信を行い、車両の通信部と通信を行った結果の情報を、隣接する他の通信装置とのマルチホップ通信によって、制御装置に伝達する付記１または２に記載の車両誘導システム。
【０１５３】
（付記４）車両が決定した目的ブロックに到着する前に目標のブロックの駐車区域が全て駐車不可能となった場合、制御装置が、目的ブロックの近隣のブロックの駐車状況を検索し、駐車可能な新たな目的ブロックを決定し、車両の現在位置から新たな目的ブロックへの誘導経路を決定する付記１ないし３のいずれか１項に記載の車両誘導システム。
【０１５４】
（付記５）車両が誘導する目的ブロックに到着する前に目的ブロックへの誘導経路を離れた場合、所定の駐車区域の通信装置が、車両の通信部に対して通信を行い、通信の結果、車両の現在位置を特定する付記１ないし４のいずれか１項に記載の車両誘導システム。
【０１５５】
（付記６）照明装置は、複数の色を発光できる照明とし、車両の誘導開始時にあらかじめ誘導する照明の色を通知する表示装置を更に備える付記１ないし５のいずれか１項に記載の車両誘導システム。
【０１５６】
（付記７）制御装置は、車両から希望駐車ブロックの通知を受信した場合、通知に基づき車両に対し誘導する目的ブロックと、車両の現在位置から目的ブロックへの誘導経路を決定する付記１ないし６のいずれか１項に記載の車両誘導システム。
【０１５７】
（付記８）制御装置が、車両を駐車するための１つないし複数の駐車区域を含むブロックで区画された駐車場における車両の誘導を制御し、通信装置が、それぞれの駐車区域に設置された照明装置と近隣の駐車区域における通信装置または車両の通信手段と通信を行い、さらに、制御装置が、車両に対し誘導する駐車区域を含む目的ブロックと、車両の現在位置から目的ブロックへの誘導経路を決定し、誘導経路に位置する駐車区域の通信装置に車両の識別情報を通知し、識別情報を通知された通信装置が、車両を検知し、目的ブロックへ誘導するよう誘導経路に位置する照明装置を制御する車両誘導方法。
【０１５８】
（付記９）それぞれ通信装置と識別情報に合致した車両の通信部とが通信した結果、通信装置が、照明装置の出力を変更することを特徴とする付記８に記載の車両誘導方法。
【０１５９】
（付記１０）誘導経路に位置する駐車区域の通信装置は、車両の通信部と通信を行い、車両の通信部と通信を行った結果の情報を、隣接する他の通信装置とのマルチホップ通信によって、制御装置に伝達する付記８または９に記載の車両誘導方法。
【０１６０】
（付記１１）車両が決定した目的ブロックに到着する前に目的ブロックの駐車区域が全て駐車不可能となった場合、制御装置が、目的ブロックの近隣のブロックの駐車状況を検索し、駐車可能な新たな目的ブロックを決定し、車両の現在位置から新たな目的ブロックへの誘導経路を決定する付記８ないし１０のいずれか１項に記載の車両誘導方法。
【０１６１】
（付記１２）車両が誘導する目的ブロックに到着する前に目的ブロックへの誘導経路を離れた場合、所定の駐車区域の通信装置が、車両の通信部に対して通信を行い、通信の結果、車両の現在位置を特定する付記８ないし１１のいずれか１項に記載の車両誘導方法。
【０１６２】
（付記１３）照明装置は、複数の色を発光できる照明とし、車両の誘導開始時にあらかじめ誘導する照明の色を通知する表示装置を更に備える付記８ないし１２のいずれか１項に記載の車両誘導方法。
【０１６３】
（付記１４）制御装置は、車両から希望駐車ブロックの通知を受信した場合、通知に基づき車両に対し誘導する目的ブロックと、車両の現在位置から目的ブロックへの誘導経路を決定する付記８ないし１３のいずれか１項に記載の車両誘導方法。
【０１６４】
（付記１５）車両を誘導する先である駐車区域を含む目的ブロックと、車両の現在位置から目的ブロックへの誘導経路を決定し、誘導経路上に位置する駐車区域の通信装置に車両の識別情報を通知することで車両を駐車するための１つないし複数の駐車区域を含むブロックで区画された駐車場における車両誘導を制御する処理を制御装置に実行させるプログラムを記録するコンピュータ読み取り可能な記録媒体。
【０１６５】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１６６】
この出願は、２０１５年３月２６日に出願された日本出願特願２０１５−０６３９４７を基礎とする優先権を主張し、その開示の全てをここに取り込む。
【符号の説明】
【０１６７】
１０    通信インタフェース
１１    ＣＰＵ
１２    出力装置
１３、１２１    入力装置
１４    主記憶装置
１５    二次記憶装置
５０、５１、５２、５９    ブロック
１００、１１０、１２０    制御装置
１０１    満空情報管理部
１０２、１１２、１２２    車両管理部
１０３、１１３    駐車区域決定部
１０４    駐車経路決定部
１０５、１１５    車両誘導部
１０６、４１０、２０１１    通信部
１１１    表示装置
２０１、２１１    通信装置
３０１、３１１    照明装置
４００、４０１    車両
５００    駐車場
５０１、５０２、５０３、５０４、５０５、５０６、５０７、５０８    駐車区域
１０００、１０１０、１０２０    車両誘導システム
２０１２    車両検知部
２０１３、２０２２    照明装置制御部
【図１】
2016152133.tif 000003
【図２】
2016152133.tif 000004
【図３】
2016152133.tif 000005
【図４】
2016152133.tif 000006
【図５】
2016152133.tif 000007
【図６】
2016152133.tif 000008
【図７】
2016152133.tif 000009
【図８】
2016152133.tif 000010
【図９】
2016152133.tif 000011
【図１０】
2016152133.tif 000012
【図１１】
2016152133.tif 000013
【図１２】
2016152133.tif 000014
【図１３】
2016152133.tif 000015
【図１４】
2016152133.tif 000016
【図１５】
2016152133.tif 000017
【図１６】
2016152133.tif 000018
【図１７】
2016152133.tif 000019
【図１８】
2016152133.tif 000020
【図１９】
2016152133.tif 000021
【図２０】
2016152133.tif 000022
【図２１】
2016152133.tif 000023
【図２２】
2016152133.tif 000024
【図２３】
2016152133.tif 000025
【図２４】
2016152133.tif 000026
【図２５】
2016152133.tif 000027
【図２６】
2016152133.tif 000028
【図２７】
2016152133.tif 000029
【図２８】
2016152133.tif 000030
【国際調査報告】
2016152133.tif 000031
2016152133.tif 000032
2016152133.tif 000033